(57)【要約】【課題】従来の磁気活性水の製造方法でクラスタを十分に細分化して水を活性化するためには装置を大型化するしかなかった。【解決手段】第１分岐水路（左側区画３９）を通過した水は、真空域（Ｖ１）において十分な密度の磁力線に暴露されて、十分に電位の低いＳ極水となる。第２分岐水路（右側区画４１）を通過した水は、真空域（Ｖ２）において十分な密度の磁力線に暴露されて、十分に電位の高いＮ極水となる。Ｓ極水とＮ極水は合流水路（中間区画３７）内に正面衝突する方向で流入し混合されるので酸化還元される。合流水路（中間区画３７）を上昇する。このとき、水流を横切るように磁力線が酸化還元水に作用する。従って、クラスタが細分化される。【選択図】              図２
2004154704.tif 000002
【特許請求の範囲】
【請求項１】
取水口と、前記取水口に後端が接続された第１および第２分岐水路と、前記第１および第２分岐水路の先端に後端が接続された合流水路と、前記合流水路の先端に接続された給水口と、前記第１分岐水路中に真空域を発生させる第１真空域発生手段と、前記第２分岐水路中に真空域を発生させる第２真空域発生手段と、前記第１分岐水路の水流にＳ極を露出した状態で前記真空域に磁力線を作用させることでＳ極水を製造するＳ極水製造手段と、前記第２分岐水路の水流にＮ極を露出した状態で前記真空域に磁力線を作用させることでＮ極水を製造するＮ極水製造手段と、前記Ｓ極水とＮ極水を混合し酸化還元する酸化還元手段と、前記合流水路に流入した酸化還元水の水流を横切るように磁力線を作用させて酸化還元水を活性化する水活性化手段とを有する磁化処理部を備えることを特徴とする磁気活性水の製造装置。
【請求項２】
請求項１に記載した磁気活性水の製造装置において、磁化処理部の第１真空域発生手段は第１分岐水路の先端に形成された第１狭小部と前記第１狭小部と接続された合流水路とによって構成され、第２真空域発生手段は第２分岐水路の先端に形成された第２狭小部と前記第２狭小部と接続された合流水路とによって構成され、前記第１および第２狭小部のそれぞれの近傍に流速の変化を利用して真空域を発生させるものであることを特徴とする製造装置。
【請求項３】
請求項１または２のいずれかに記載した磁気活性水の製造装置において、磁化処理部の第１分岐水路および第２分岐水路はそれぞれ合流水路を挟んで対向配置され、且つ前記合流水路と垂直に接続されていることを特徴とする製造装置。
【請求項４】
請求項１から３のいずれかに記載した磁気活性水の製造装置において、磁化処理部は、その本体ケーシング内に、一面がＮ極に着磁され他面がＳ極に着磁された一対の磁石壁体を逆磁極が対向するよう離間して設けることにより３区画が形成されており、前記一対の磁石壁体が対向した中間区画が合流水路を構成し、その両側の区画中磁石壁体のＳ極が露出した側が第１分岐水路を構成し、且つ磁石壁体のＮ極が露出した側が第２分岐水路を構成していることを特徴とする装置。
【請求項５】
請求項４に記載した磁気活性水の製造装置において、一対の磁石壁体の下端部に対向して一対の貫通穴が形成されており、第１真空域発生手段は第１分岐水路を画定する磁石壁体に形成された貫通穴と前記貫通穴と接続された合流水路とによって構成され、第２真空域発生手段は第１分岐水路を確定する磁石壁体に形成された貫通穴と前記貫通穴と接続された合流水路とによって構成され、前記一対の貫通穴のそれぞれの近傍に流速の変化を利用して真空を発生させるものであることを特徴とする装置。
【請求項６】
請求項５に記載した磁気活性水の製造装置において、真空域に作用する磁力線を集中させるための磁力線集中手段が本体ケーシング内に設けられていることを特徴とする製造装置。
【請求項７】
後端に取水口が設けられ且つ前端に給水口が設けられた水路と、前記水路の途中の２箇所で形成された２つの狭小部と、前記２つの狭小部の間で前記水路に接続された吸気路と、前記２つの狭小部の間を通過する空気に磁力線を作用させる空気磁化手段とを備え、前記２つの狭小部間の周辺部分に流速の変化を利用して形成される真空域の吸引作用を利用して前記吸気路から空気を吸引しながら磁化することで、前記空気を取込んで磁化された水が給水口から給水される磁化処理部を有することを特徴とする磁気活性水の製造装置。
【請求項８】
請求項７に記載した磁気活性水の製造装置において、貫通穴が形成された一対の壁が水路の途中に離間して２箇所設けられて狭小部を形成しており、且つ該一対の壁の対向する２つの面の一方がＮ極に着磁され他方がＳ極に着磁されて空気磁化手段を構成していることを特徴とする製造装置。
【請求項９】
水を貯留する水タンクと、前記水タンクと接続された循環経路と、前記循環経路の途中に設けられた圧送ポンプと、前記圧送ポンプの押出し側の循環水路に設けられた請求項１から６のいずれかに記載した磁化処理部と、前記圧送ポンプの引出し側の循環経路の端部に設けられた請求項７または８に記載した磁化処理部とを備えることを特徴とする磁気活性水の製造装置。
【発明の詳細な説明】
【０００１】
【発明の属する技術分野】
本発明は磁気活性水の製造装置に関するものである。
【０００２】
【従来の技術】
磁気活性水はクラスタが細分化された水のことであり、有害物質を分解したり、微生物の成長を抑制する等種々の有用な機能が見出されている。
この磁気活性水を製造する従来の代表的な装置は、特許文献１に記載されたものであり、水流を横切るように磁力線を作用させている。
【０００３】
【特許文献１】
特開平１１−９０４５２号公報
【０００４】
【発明が解決しようとする課題】
しかしながら、従来の装置でクラスタを十分に細分化するためには、磁力線の作用する水路を非常に長く設定しなければならず、現実的ではない。
それ故、本発明は、クラスタを十分に細分化できるコンパクトな磁気活性水の製造装置を提供することを目的とする。
【０００５】
【課題を解決するための手段】
上記課題を解決するために、請求項１の発明は、取水口と、前記取水口に後端が接続された第１および第２分岐水路と、前記第１および第２分岐水路の先端に後端が接続された合流水路と、前記合流水路の先端に接続された給水口と、前記第１分岐水路中に真空域を発生させる第１真空域発生手段と、前記第２分岐水路中に真空域を発生させる第２真空域発生手段と、前記第１分岐水路の水流にＳ極を露出した状態で前記真空域に磁力線を作用させることでＳ極水を製造するＳ極水製造手段と、前記第２分岐水路の水流にＮ極を露出した状態で前記真空域に磁力線を作用させることでＮ極水を製造するＮ極水製造手段と、前記Ｓ極水とＮ極水を混合し酸化還元する酸化還元手段と、前記合流水路に流入した酸化還元水の水流を横切るように磁力線を作用させて酸化還元水を活性化する水活性化手段とを有する磁化処理部を備えることを特徴とする磁気活性水の製造装置である。
【０００６】
請求項２の発明は、請求項１に記載した磁気活性水の製造装置において、磁化処理部の第１真空域発生手段は第１分岐水路の先端に形成された第１狭小部と前記第１狭小部と接続された合流水路とによって構成され、第２真空域発生手段は第２分岐水路の先端に形成された第２狭小部と前記第２狭小部と接続された合流水路とによって構成され、前記第１および第２狭小部のそれぞれの近傍に流速の変化を利用して真空域を発生させるものであることを特徴とする製造装置である。
【０００７】
請求項３の発明は、請求項１または２のいずれかに記載した磁気活性水の製造装置において、磁化処理部の第１分岐水路および第２分岐水路はそれぞれ合流水路を挟んで対向配置され、且つ前記合流水路と垂直に接続されていることを特徴とする製造装置である。
【０００８】
請求項４の発明は、請求項１から３のいずれかに記載した磁気活性水の製造装置において、磁化処理部は、その本体ケーシング内に、一面がＮ極に着磁され他面がＳ極に着磁された一対の磁石壁体を逆磁極が対向するよう離間して設けることにより３区画が形成されており、前記一対の磁石壁体が対向した中間区画が合流水路を構成し、その両側の区画中磁石壁体のＳ極が露出した側が第１分岐水路を構成し、且つ磁石壁体のＮ極が露出した側が第２分岐水路を構成していることを特徴とする装置である。
【０００９】
請求項５の発明は、請求項４に記載した磁気活性水の製造装置において、一対の磁石壁体の下端部に対向して一対の貫通穴が形成されており、第１真空域発生手段は第１分岐水路を画定する磁石壁体に形成された貫通穴と前記貫通穴と接続された合流水路とによって構成され、第２真空域発生手段は第１分岐水路を確定する磁石壁体に形成された貫通穴と前記貫通穴と接続された合流水路とによって構成され、前記一対の貫通穴のそれぞれの近傍に流速の変化を利用して真空を発生させるものであることを特徴とする装置である。
【００１０】
請求項６の発明は、請求項５に記載した磁気活性水の製造装置において、真空域に作用する磁力線を集中させるための磁力線集中手段が本体ケーシング内に設けられていることを特徴とする製造装置である。
【００１１】
請求項７の発明は、後端に取水口が設けられ且つ前端に給水口が設けられた水路と、前記水路の途中の２箇所で形成された２つの狭小部と、前記２つの狭小部の間で前記水路に接続された吸気路と、前記２つの狭小部の間を通過する空気に磁力線を作用させる空気磁化手段とを備え、前記２つの狭小部間の周辺部分に流速の変化を利用して形成される真空域の吸引作用を利用して前記吸気路から空気を吸引しながら磁化することで、前記空気を取込んで磁化された水が給水口から給水される磁化処理部を有することを特徴とする磁気活性水の製造装置である。
【００１２】
請求項８の発明は、請求項７に記載した磁気活性水の製造装置において、貫通穴が形成された一対の壁が水路の途中に離間して２箇所設けられて狭小部を形成しており、且つ該一対の壁の対向する２つの面の一方がＮ極に着磁され他方がＳ極に着磁されて空気磁化手段を構成していることを特徴とする製造装置である。
【００１３】
請求項９の発明は、水を貯留する水タンクと、前記水タンクと接続された循環経路と、前記循環経路の途中に設けられた圧送ポンプと、前記圧送ポンプの引出し側の循環水路に設けられた請求項１から６のいずれかに記載した磁化処理部と、前記圧送ポンプの押出し側の循環経路の端部に設けられた請求項７または８に記載した磁化処理部とを備えることを特徴とする磁気活性水の製造装置である。
【００１４】
【発明の実施の形態】
本発明の実施の形態を、図１から図５に従って説明する。
符号１は磁気活性水の製造装置を示す。この製造装置１では、水（Ｗ）を貯留する水タンク３と、水タンク３と接続された循環経路５が備えられており、循環経路５に設けられた圧送ポンプ（Ｐ）７の作動により、図１の矢印が示すように、水（Ｗ）が水タンク３から取り出され、循環経路５を通過して水タンク３に戻される。
符号９は第１磁化処理部を示し、圧送ポンプ（Ｐ）７の引出し側に設けられている。符号１１は第２磁化処理部を示し、圧送ポンプ（Ｐ）７の押出し側に設けられている。
【００１５】
第１磁化処理部９の構成について、図２と図３に従って説明する。
符号１２は円筒状の本体ケーシングを示し、この本体ケーシング１２の軸方向の下面１３と上面１５のそれぞれの中心部分には２つの同じ形状の接続管１７，１９が設けられている。ポンプの安全（エアハンマ等）を考慮して、接続管１７，１９の内径は循環経路５の内径と同じに設計してある。
接続管１７，１９は循環経路５と接続されており、接続管１７の開口端が給水口を構成し、接続管１９の開口端が取水口を構成している。
符号２１は筒状隔壁体を示し、この筒状隔壁体２１の内径は接続管１７，１９の内径より大きい。筒状隔壁体２１には底面２３が設けられており、その底部２３の中心部分には円形の開口２５が形成されている。開口２５は接続管１７，１９の内径より若干大きい。
【００１６】
筒状隔壁体２１の側面２７の開口側端部が本体ケーシング１２の上面１５に固定されている。筒状隔壁体２１は本体ケーシング１２と同軸上に位置している。
符号２９は磁石円板を示し、この磁石円板２９は開口２５に嵌めこまれている。磁石円板２９は半円の一方がＮ極に着磁され、他方がＳ極に着磁されている。
符号３１，３２は筒状隔壁体２１の側面２７に対向して設けられた連結穴を示す。この連結穴３１，３２を囲んで内方に向かって延びるガイド管３３，３４が設けられている。
【００１７】
符号３５，３６は一対の四角板状の磁石壁体を示し、この磁石壁体３５，３６は一面がＮ極に着磁され、他面がＳ極に着磁されている。
磁石壁体３５，３６は筒状隔壁体２１の軸方向に平行に内嵌められて、筒状隔壁体２１と上面１５で画定された空間が３つの区画３７，３９，４１に分けられている。中間区画３７は磁石壁体３５，３６の対向する区画であり、左側区画３９は磁石壁体３５のＳ極が露出した側の区画であり、左側区画４１は磁石壁体３６のＳ極が露出した側の区画である。
【００１８】
一対の磁石壁体３５，３６の対向する内側面間の距離（Ｄ１）は一定で接続管１７，１９の内径と同じで大きさであり、磁石壁体３５，３６のそれぞれの外側面と筒状隔壁体２１の内側面との最大距離（Ｄ２）は接続管１７，１９の内径の１／２である。このように設定することで、一回の通水で３パス分の磁化処理をすることができる。
一対の磁石壁体３５，３６は、逆磁性（Ｎ極とＳ極）が対向した状態で磁石円板２９のＮ極とＳ極の境界線に平行に配置されている。一対の磁石壁体３５，３６中、磁石壁体３５は磁石円板２９のＳ極側に位置し、磁石壁体３６は磁石円板２９のＮ極側に位置している。
符号４３，４４は一対の貫通穴を示し、この一対の貫通穴４３，４４は磁石壁体３５，３６のそれぞれの下端の中央部分に形成されている。
【００１９】
この実施の形態では、第１分岐水路は左側区画３９により構成されており、第２分岐水路は右側区画４１により構成されている。合流水路は中間区画３７により構成されている。従って、第１分岐水路および第２分岐水路はそれぞれ合流水路を挟んで対向配置され、合流水路と垂直に接続されていることになる。
貫通穴４３は第１分岐水路の先端に位置する。従って、貫通穴４３の部分が第１狭小部に相当する。貫通穴４４は、第２分岐水路の先端に位置する。従って、貫通穴４４の部分が第２狭小部に相当する。
貫通穴４３、４４では水の流速が早くなるので、吸引作用により、狭小部の後方にそれぞれ、真空域（Ｖ１）、（Ｖ２）が発生する。
【００２０】
左側区画３９、即ち第１分岐水路では、隔壁として磁石壁体３５がＳ極が露出した状態で設けられているので、第１分岐水路の水流にＳ極が露出した状態で、磁石壁体３５から出る水流に平行な磁力線（点線）が第１分岐水路の真空域（Ｖ１）に作用する。即ち、磁石壁体３５によってＳ極水製造手段が構成されている。
また、磁石円板２９から出る水流に平行な磁力線（点線）も第１分岐水路の真空域（Ｖ１）に作用する。即ち、磁石円板２９によって磁力線集中手段が構成されている。
【００２１】
右側区画４１、即ち第２分岐水路の隔壁として磁石壁体３６がＮ極が露出した状態で備えられているので、第２分岐水路の水流にＮ極が露出した状態で、磁石壁体３６から出る水流に平行な磁力線（点線）が第２分岐水路の真空域（Ｖ２）に作用する。即ち、磁石壁体３６によってＮ極水製造手段が構成されている。
また、磁石円板２９から出る水流に平行な磁力線（点線）も第２分岐水路の真空域（Ｖ２）に作用する。即ち、磁石円板２９によって磁力線集中手段が構成されている。
【００２２】
第１分岐水路（左側区画３９）と第２分岐水路（右側区画４１）の水は合流水路（中間区画３７）内に正面衝突する方向で流入し混合されるので、合流水路（中間区画３７）内で酸化還元される。
中間区画３７、即ち合流水路の隔壁として一対の磁石壁体３５，３６が逆磁極が対向した状態で備えられているので、合流水路の水流を横切る方向に磁力線（点線）が作用する。このような方向に磁力線が作用すると、水に電流が流れてクラスタが細分化される。
即ち、一対の磁石壁体３５，３６によって水活性化手段が構成されている。
【００２３】
次に、第１磁化処理部９における処理内容を説明する。
矢印は水流の方向を示している。圧送ポンプ（Ｐ）７の動作により循環水路から水が引かれて、接続管１９から本体ケーシング１２内に流入する。そして、本体ケーシング１２内の周面にそって上昇し、一部の水は連結穴３１からガイド管３３に流入し、更に、第１分岐水路（左側区画３９）に流入する。残りの水は連結穴３２からガイド管３４に流入し、更に、第２分岐水路（右側区画４１）に流入する。ガイド管３１，３２が設けられているので、第１分岐水路（左側区画３９）や第２分岐水路（右側区画４１）からの逆流は阻止される。
【００２４】
第１分岐水路（左側区画３９）を通過した水は、真空域（Ｖ１）において十分な密度の磁力線に暴露されているので、十分に電位の低いＳ極水となっている。また、第２分岐水路（右側区画４１）を通過した水は、真空域（Ｖ２）において十分な密度の磁力線に暴露されているので、十分に電位の高いＮ極水となっている。
【００２５】
第１分岐水路（左側区画３９）と第２分岐水路（右側区画４１）の水は合流水路（中間区画３７）内に正面衝突する方向で流入し混合されるので酸化還元される。その後、合流水路（中間区画３７）を一定の流量で上昇する。このとき、水流を横切るように磁力線が酸化還元水に作用する。第１磁化処理部９は、圧送ポンプ（Ｐ）７の引出し側手前に設けられているので、圧力、流量、流速を安定的に制御できる。従って、合流水路（中間区画３７）内の流速は一定（１〜２ｍ／ｓｅｃ程度）となり、磁力線処理能力は一定に保持される。
細分化された水は接続管１９を通って循環水路５に戻される。
第１磁化処理部９では、水が酸化還元された後に、活性化されているので、水が十分に活性化される。即ち、クラスタが十分に細分化される。
【００２６】
第２磁化処理部１１の構成について、図４と図５に従って説明する。
符号４５は円筒状の本体ケーシングを示し、この本体ケーシング４５の軸方向の左側端４６は開口し、右側端には循環経路５と接続するための蛇腹状接続部４７が設けられている。即ち、左側端４６により給水口が構成され、蛇腹状接続部４７により取水口が構成されている。また本体ケーシング４５により水路が構成されている。
【００２７】
符号４９，５０は一対の円板状の磁石壁体を示し、この一対の磁石壁体４９，５０の中心部にはそれぞれ同じ大きさの円形の貫通穴５１が形成されている。この実施の形態ではこの貫通穴５１の部分が狭小部に相当する。
一対の磁石壁体４９，５０は、一面がＮ極に着磁され、他面がＳ極に着磁されている。
一対の磁石壁体４９，５０は、水路の水流を垂直に止めるように、本体ケーシング４５に互いに平行に且つ離間して内嵌められている。符号５２は、本体ケーシング４５と一対の磁石壁体４９，５０とによって画定された区画、即ち、中間室を示す。
給水口側の磁石壁体４９は対向面側がＮ極に着磁され、取水口側の磁石壁体５０は対向面側がＳ極に着磁されている。この実施の形態では、一対の磁石壁体４９，５０によって空気磁化手段が構成されている。
【００２８】
符号５３は吸気管（吸気路）を示し、この吸気管５３の一端は開口し、他端は本体ケーシング４５に垂直に接続されている。本体ケーシング４５の接続部は２つの磁石壁体４９，５０の間に位置している。
【００２９】
次に、第２磁化処理部１１における処理内容を説明する。
矢印は水流の方向を示している。圧送ポンプ（Ｐ）７の動作により循環水路５から水が引かれて、蛇腹状接続部４７から本体ケーシング４５内に流入する。
中間室５２内では、軸方向に対して中心部分は高圧水流となり、外周部分は低真空水流となる。従って、吸気管５３を通して空気が本体ケーシング４５内に吸引される。
【００３０】
本体ケーシング４５内に吸引された空気はその吸引方向対して垂直に磁石線が作用するので、空気は磁化される。その磁化された空気が水に取り込まれると、水のクラスタは細分化、即ち水が活性化される。従って、空気中の酸素が水に溶存し易くなる。
磁化処理部１１では、酸素が十分に溶存した活性水が高圧水流として取水口から水タンク３内に給水されるので、滝や高圧バッキと同様の効果が期待できる。
【００３１】
磁気活性水の製造装置１は、第１磁化処理部９と第２磁化処理部が圧送ポンプ（Ｐ）７の引込み側と押出し側に設けられているので、第１磁化処理部９と第２磁化処理部に安定した流量で水を供給することができる。
磁気活性水の製造装置１で製造された水は、塩素等の有害物質の除去や微生物の増力の抑制（即ち、腐敗の防止）と言った効果を実用的なレベルで発揮することが実証されている。なお、数回循環処理すれば、効果は更に上がることは言うまでもない。定期的に循環処理すれば、腐敗の防止にもなる。
従って、貯水池の水の浄化に適している。また、磁気活性水の製造装置１で製造された水に天然ミネラルを加えることにより健康によい飲料水となるので、飲料水の自動販売機に取り付けてもよい。
【００３２】
以上、本発明の実施の形態について詳述したが、具体的な構成はこの実施の形態に限られるものではなく、本発明の要旨を逸脱しない範囲における設計の変更などがあっても本発明に含まれる。
第１磁化処理部と第２磁化処理部はそれぞれ単独に使用してもよい。例えば、水草の殺菌には第１磁化処理部を単独で使用しても十分な効果が期待できる。また、中型や小型の水槽の水浄化には、第２磁化処理部を単独で使用しても十分な効果が期待できる。
第１磁化処理部においては磁力線集中手段として磁石円板を設けているが、これに限定されず、鉄板等の磁性体をヨークとして利用したものでもよい。
【００３３】
【発明の効果】
本発明の磁気活性水の製造装置によれば、コンパクトであるにもかかわらず、満足できる程度に水を活性化できる。
【図面の簡単な説明】
【図１】本発明の実施の形態に係る磁気活性水の製造装置の模式図である。
【図２】本発明の実施の形態に係る磁気活性水の製造装置の第１磁化処理部の断面図である。
【図３】図２に示した第１磁化処理部のＡ−Ａ断面図である。
【図４】本発明の実施の形態に係る磁気活性水の製造装置の第２磁化処理部の断面図である。
【図５】図４に示した第２磁化処理部のＢ−Ｂ断面図である。
【符号の説明】
１…磁気活性水の製造装置
３…水タンク、５…循環経路、７…圧送ポンプ、
９…第１磁化処理部、１１…第２磁化処理部、
１２…本体ケーシング、１３…下面、１５…上面、１７，１９…接続管、
２１…筒状隔壁体、２３…底面、２５…開口、２７…側面、２９…磁石円板、
３１，３２…連結穴、３３，３４…ガイド管、３５，３６…磁石壁体、
３７，３９，４１…区画、４３，４４…貫通穴、Ｖ１，Ｖ２…真空域、
４５…本体ケーシング、４７…蛇腹状接続部、４９，５０…磁石壁体、
５１…貫通穴、５２…中間室、５３…吸気管
【図１】
2004154704.tif 000003
【図２】
2004154704.tif 000004
【図３】
2004154704.tif 000005
【図４】
2004154704.tif 000006
【図５】
2004154704.tif 000007